(57)【特許請求の範囲】
【請求項１】
送り込み装置部、引き上げ装置部及び被引き上げ部を備え、前記送り込み装置部は、第一ワイヤーライン（２１）、第一ワイヤーラインリング（２２１）、第一ベアリング（２２２）、第一ナット（２２３）、第一ベアリングスリーブ（２２４）、スライドハンマー（２２５）、リミットジョイント（２２６）、コネクティングロッド（２２７）を備え、前記第一ワイヤーライン（２１）の一端と第一ワイヤーラインリング（２２１）が接続され固定され、前記第一ベアリング（２２２）が第一ベアリングスリーブ（２２４）に取り付けられ固定され、前記第一ワイヤーラインリング（２２１）が第一ベアリングスリーブ（２２４）に挿入され、かつ、第一ワイヤーラインリング（２２１）の下半分が第一ベアリング（２２２）を通過しその内壁に固定され、前記第一ナット（２２３）が第一ワイヤーラインリング（２２１）の底部に螺装され、前記スライドハンマー（２２５）の上端がベアリングスリーブの底部に固定設置され、スライドハンマー（２２５）に内部空洞が設けられ、前記スライドハンマー（２２５）の側壁に複数セットの貫通穴が設けられ、前記コネクティングロッド（２２７）の上端が内部空洞に挿入され、前記リミットジョイント（２２６）が内部空洞の下半分に取り付けられ、前記送り込み装置部が分離制御リング（２２８）、２セットの送り込み装置用引き上げフック（２２９）、第一スプリング（２２９１）、第一心棒（２２９２）及び送り込み装置用ガイドカップ（２２１０）も備え、前記分離制御リング（２２８）がコネクティングロッド（２２７）の下端に取り付けられ、前記２セットの送り込み装置用引き上げフック（２２９）の中央部が第一心棒（２２９２）を介して回転可能に接続され、前記第一スプリング（２２９１）の左端と右端がそれぞれ２セットの送り込み装置用引き上げフック（２２９）の上半分に接続され、２セットの送り込み装置用引き上げフック（２２９）の下半分が送り込み装置用ガイドカップ（２２１０）内にあり、
前記引き上げ装置部は、第二ワイヤーライン（３１）、第二ワイヤーラインリング（３２１）、第二ベアリングスリーブ（３２２）、第二ベアリング（３２３）、第二ナット（３２４）、引き上げ装置ロッド本体（３２５）、２セットの引き上げ装置用引き上げフック（３２６）、第二スプリング（３２８）、第二心棒（３２９）及び引き上げ装置用ガイドカップ（３２７）を備え、前記第二ワイヤーライン（３１）の一端と第二ワイヤーラインリング（３２１）が接続され固定され、前記第二ベアリング（３２３）が第二ベアリングスリーブ（３２２）に取り付けられ固定され、前記第二ワイヤーラインリング（３２１）が第二ベアリングスリーブ（３２２）に挿入され、かつ、第二ワイヤーラインリング（３２１）の下半分が第二ベアリング（３２３）を通過しその内壁に固定され、前記第二ナット（３２４）が第二ワイヤーラインリング（３２１）の底部に螺装され、引き上げ装置ロッド本体（３２５）の上端と第二ベアリングスリーブ（３２２）の下端が接続され、前記２セットの引き上げ装置用引き上げフック（３２６）の中央部が第二心棒（３２９）を介して回転可能に接続され、前記第二スプリング（３２８）の左端と右端がそれぞれ２セットの引き上げ装置用引き上げフック（３２６）の上半分に接続され、前記引き上げ装置用ガイドカップ（３２７）が２セットの引き上げ装置用引き上げフック（３２６）の下にあり、
前記被引き上げ部は、第一引き上げスピア（２３１）、コアリング装置用引き上げフック（２３２）、第三スプリング（２３２１）、第三心棒（２３２２）、第二引き上げスピア（２４１）、リリースリングパイプコネクタ（２３３）及びリリースリングパイプ（２３４）を備え、前記第一引き上げスピア（２３１）の上端が送り込み装置用ガイドカップ（２２１０）又は引き上げ装置用ガイドカップ（３２７）に挿入され、かつ、送り込み装置用引き上げフック（２２９）又は引き上げ装置用引き上げフック（３２６）の間にあり、前記コアリング装置用引き上げフック（２３２）中央部が第三心棒（２３２２）を介して回転可能に接続され、前記第三スプリング（２３２１）の左端と右端がそれぞれコアリング装置用引き上げフック（２３２）の上半分に接続され、前記リリースリングパイプコネクタ（２３３）がリリースリングパイプ（２３４）の上部に取り付けられ、前記第二引き上げスピア（２４１）がリリースリングパイプ（２３４）内にあり、かつ、第二引き上げスピア（２４１）の上端がコアリング装置用引き上げフック（２３２）の間にあり、前記リリースリングパイプ（２３４）の内壁に第一ロングスライド溝（２３４１）、ロングスライド溝の斜め断面（２３４２）及びリリースリングパイプピンアイ（２３４３）が設けられ、弾性ピン（２３５）、ベースフレームカップリング（２４２）、サポートクリップパイプ（２４３）、アダプターカップリング（２５１）、カップリング（２５２）、リフトパイプ（２６１）、サスペンションリング（２７１）、シートリング（２７２）も備え、前記サポートクリップパイプ（２４３）にロングスライド穴（２４３１）が設けられ、弾性ピン（２３５）がリリースリングパイプ（２３４）の下端にあるリリースリングパイプピンアイ（２３４３）に取り付けられ固定され、リフトパイプ（２６１）にピンアイ（２６１１）が設けられ、弾性ピン（２３５）がリフトパイプ（２６１）のピンアイ（２６１１）を通過しサポートクリップパイプ（２４３）のロングスライド穴（２４３１）内に伸び、前記リフトパイプ（２６１）がサポートクリップパイプ（２４３）に挿入され、サポートクリップパイプ（２４３）とベースフレームカップリング（２４２）がリリースリングパイプ（２３４）に挿入され、前記ベースフレームカップリング（２４２）とサポートクリップパイプ（２４３）が接触し固定され、前記第二引き上げスピア（２４１）の下端とベースフレームカップリング（２４２）が接触し固定され、前記サスペンションリング（２７１）がサポートクリップパイプ（２４３）の底部に取り付けられ、かつ、サスペンションリング（２７１）がアウターパイプのシートリング（２７２）に掛けられ、前記カップリング（２５２）がベースフレームカップリング（２４２）の内部空洞に取り付けられ、かつ、リリースリングパイプ（２３４）の第一ロングスライド溝（２３４１）から外側に弾性的に伸び、ウェルの底にあるベース留め具に置き、カップリング（２５２）とアダプターカップリング（２５１）が接触し、往復コアリングを行いリリースリングオーバーシュートを引き上げ、リリースリングパイプ（２３４）が、ロングスライド溝の斜め断面（２３４２）がカップリング（２５２）と接触するまで持ち上げられ、カップリング（２５２）が閉じ、アダプターカップリングと接触しなくなることを特徴とするダブルフック・ダブルスピア構造のワイヤーライン送り込みと引き上げ装置。
【発明の詳細な説明】
【技術分野】
【０００１】
本発明は、ワイヤーラインコアリングの技術分野に関し、特に、ダブルフック・ダブルスピア構造のワイヤーライン送り込みと引き上げ装置に関する。
【背景技術】
【０００２】
コアリング技術を用いた一般的な二重管式コアリング装置は、ワイヤーラインコアリング分野においても使用されている。ワイヤーラインコアリングは、コアリング装置の前端にあるボールバルブ又はプレートバルブを開けて、岩石コアバレルをボールバルブ又はプレートバルブを通過させる必要がある。
【発明の概要】
【発明が解決しようとする課題】
【０００３】
従来の二重管式コアリング装置は、往復コアリングを完了してから、ボールバルブ又はプレートバルブを閉じるために、岩石コアバレルをコアリング装置の前端にあるボールバルブ又はプレートバルブの上方まで回収する必要がある。
このような事情から、本発明のワイヤーラインコアリング装置は、異なる作業条件下で、コアリング装置の二重管が、違う動作を信頼性が高く行うことという便利な方法を提供することが求められている。
そこで、本発明は、上記のような技術的課題に鑑みてなされたものであり、ダブルフック・ダブルスピア制御の接続方法により、二重管式コアリング装置の違い動作を行うダブルフック・ダブルスピア構造のワイヤーライン送り込みと引き上げ装置を提供することを目的とする。
【課題を解決するための手段】
【０００４】
本発明に係るダブルフック・ダブルスピア構造のワイヤーライン送り込みと引き上げ装置は、送り込み装置部、引き上げ装置部及び被引き上げ部を備え、前記送り込み装置部は、第一ワイヤーライン、第一ワイヤーラインリング、第一ベアリング、第一ナット、第一ベアリングスリーブ、スライドハンマー、リミットジョイント、コネクティングロッドを備え、前記第一ワイヤーラインの一端と第一ワイヤーラインリングが接続され固定され、前記第一ベアリングが第一ベアリングスリーブに取り付けられ固定され、前記第一ワイヤーラインリングが第一ベアリングスリーブに挿入され、かつ、第一ワイヤーラインリングの下半分が第一ベアリングを通過しその内壁に固定され、前記第一ナットが第一ワイヤーラインリングの底部に螺装され、前記スライドハンマーの上端がベアリングスリーブの底部に固定設置され、スライドハンマーに内部空洞が設けられ、前記スライドハンマーの側壁に複数セットの貫通穴が設けられ、前記コネクティングロッドの上端が内部空洞に挿入され、前記リミットジョイントが内部空洞の下半分に取り付けられ、前記送り込み装置部が分離制御リング、２セットの送り込み装置用引き上げフック、第一スプリング、第一心棒及び送り込み装置用ガイドカップも備え、前記分離制御リングがコネクティングロッドの下端に取り付けられ、前記２セットの送り込み装置用引き上げフックの中央部が第一心棒を介して回転可能に接続され、前記第一スプリングの左端と右端がそれぞれ２セットの送り込み装置用引き上げフックの上半分に接続され、２セットの送り込み装置用引き上げフックの下半分が送り込み装置用ガイドカップ内にあり、
前記引き上げ装置部は、第二ワイヤーライン、第二ワイヤーラインリング、第二ベアリングスリーブ、第二ベアリング、第二ナット、引き上げ装置ロッド本体、２セットの引き上げ装置用引き上げフック、第二スプリング、第二心棒及び引き上げ装置用ガイドカップを備え、前記第二ワイヤーラインの一端と第二ワイヤーラインリングが接続され固定され、前記第二ベアリングが第二ベアリングスリーブに取り付けられ固定され、前記第二ワイヤーラインリングが第二ベアリングスリーブに挿入され、かつ、第二ワイヤーラインリングの下半分が第二ベアリングを通過しその内壁に固定され、前記第二ナットが第二ワイヤーラインリングの底部に螺装され、引き上げ装置ロッド本体の上端と第二ベアリングスリーブの下端が接続され、前記２セットの引き上げ装置用引き上げフックの中央部が第二心棒を介して回転可能に接続され、前記第二スプリングの左端と右端がそれぞれ２セットの引き上げ装置用引き上げフックの上半分に接続され、前記引き上げ装置用ガイドカップが２セットの引き上げ装置用引き上げフックの下にあり、
前記被引き上げ部は、第一引き上げスピア、コアリング装置用引き上げフック、第三スプリング、第三心棒、第二引き上げスピア、リリースリングパイプコネクタ及びリリースリングパイプを備え、前記第一引き上げスピアの上端が送り込み装置用ガイドカップ又は引き上げ装置用ガイドカップに挿入され、かつ、送り込み装置用引き上げフック又は引き上げ装置用引き上げフックの間にあり、前記コアリング装置用引き上げフック中央部が第三心棒を介して回転可能に接続され、前記第三スプリングの左端と右端がそれぞれコアリング装置用引き上げフックの上半分に接続され、前記リリースリングパイプコネクタがリリースリングパイプの上部に取り付けられ、前記第二引き上げスピアがリリースリングパイプ内にあり、かつ、第二引き上げスピアの上端がコアリング装置用引き上げフックの間にあり、前記リリースリングパイプの内壁に第一ロングスライド溝、ロングスライド溝の斜め断面及びリリースリングパイプピンアイが設けられ、弾性ピン、ベースフレームカップリング、サポートクリップパイプ、アダプターカップリング、カップリング、リフトパイプ、サスペンションリング、シートリングも備え、前記サポートクリップパイプにロングスライド穴が設けられ、弾性ピンがリリースリングパイプの下端にあるリリースリングパイプピンアイに取り付けられ固定され、リフトパイプにピンアイが設けられ、弾性ピンがリフトパイプのピンアイを通過しサポートクリップパイプのロングスライド穴内に伸び、前記リフトパイプがサポートクリップパイプに挿入され、サポートクリップパイプとベースフレームカップリングがリリースリングパイプに挿入され、前記ベースフレームカップリングとサポートクリップパイプが接触し固定され、前記第二引き上げスピアの下端とベースフレームカップリングが接触し固定され、前記サスペンションリングがサポートクリップパイプの底部に取り付けられ、かつ、サスペンションリングがアウターパイプのシートリングに掛けられ、前記カップリングがベースフレームカップリングの内部空洞に取り付けられ、かつ、リリースリングパイプの第一ロングスライド溝から外側に弾性的に伸び、ウェルの底にあるベース留め具に置き、カップリングとアダプターカップリングが接触し、往復コアリングを行いリリースリングオーバーシュートを引き上げ、リリースリングパイプが、ロングスライド溝の斜め断面がカップリングと接触するまで持ち上げられ、カップリングが閉じ、アダプターカップリングと接触しなくなる
【発明の効果】
【０００５】
従来技術と比較して、本発明の有益な効果は次のとおりである。
１、送り込み装置又は引き上げ装置の引き上げフックとコアリング装置の第一及び第二引き上げスピアとの異なる接続・分離方法により、コアリング装置の送り込み機構と引き上げ機構の順次動作を行うことができる。
２、装置全体をウェルの底に置き、コアリング装置の第一引き上げスピア内に第二引き上げスピアが套設され、送り込み装置でコアリング装置を穴の底に送る。コアリング装置の下の重量は、ベースフレームカップリングから、第二引き上げスピア、第二引き上げフック、第一引き上げスピア、送り込み装置部、ワイヤーラインに順に伝達することができる。
３、装置全体をウェルの底にあるベース留め具に置き、コアリング装置を穴の底に送り、コアリング装置用送り込み装置の伸縮スライドハンマーが下がり収縮しリリースリングオーバーシュートリングを打つことにより、送り込み装置用引き上げフックとコアリング装置の第一引き上げスピアとを分離し、さらに、送り込み装置とコアリング装置との分離を行い、ワイヤーラインで送り込み装置を坑口まで回収してから、ドリルパイプを取り付けることによって往復コアリングを行うことができる。
４、往復コアリングを行ってから、引き上げ装置を入れ、引き上げ装置用ガイドカップによる案内で、引き上げ装置用引き上げフックとコアリング装置の第一引き上げスピアが接続されると同時に、引き上げ装置用ガイドカップがコアリング装置用引き上げフックを圧迫し、コアリング装置用引き上げフックをコアリング装置の第二引き上げスピアから外す。ワイヤーラインを持ち上げることにより、引き上げ装置がコアリング装置の第一引き上げスピアを持ち上げると同時に、リリースリングパイプを上に移動させることができる。
【図面の簡単な説明】
【０００６】
【図１】本発明の送り込み装置部と被引き上げ部との接続の構造概略図である。
【図２】図１のA-A及びB-Bの断面概略図である。
【図３】本発明の引き上げ装置部と被引き上げ部との接続の構造概略図である。
【図４】本発明の使用時にウェルの底に置く場合の概略図である。
【図５】本発明の使用時にウェルの底にあるベース留め具に置く場合、スライドハンマー収縮の概略図である。
【図６】本発明の使用時にスライドハンマーが分離制御リングを打ち、第一引き上げスピアから外す場合の概略図である。
【図７】本発明の使用時に分離、引き上げ装置回収の概略図である。
【図８】本発明の使用時に往復コアリングを完了し、引き上げ装置を入れ引き上げを行う場合の概略図である。
【図９】本発明の使用時に往復コアリングを行い、引き上げ装置を入れリリースリングオーバーシュートを引き上げる場合の概略図である。
【符号の説明】
【０００７】
２１  第一ワイヤーライン
２２１  第一ワイヤーラインリング
２２２  第一ベアリング
２２３  第一ナット
２２４  第一ベアリングスリーブ
２２５  スライドハンマー
２２６  リミットジョイント
２２７  コネクティングロッド
２２８  分離制御リング
２２９  送り込み装置用引き上げフック
２２９１  第一スプリング
２２９２  第一心棒
２２１０  送り込み装置用ガイドカップ
２３１  第一引き上げスピア
２３２  コアリング装置用引き上げフック
２３２１  第三スプリング
２３２２  第三心棒
２３３  リリースリングパイプコネクタ
２３４  リリースリングパイプ
２３４１  第一ロングスライド溝
２３４２  ロングスライド溝の斜め断面
２３４３  リリースリングパイプピンアイ
２３５  弾性ピン
２４１  第二引き上げスピア
２４２  ベースフレームカップリング
２４３  サポートクリップパイプ
２４３１  ロングスライド穴
２５１  アダプターカップリング
２５２  カップリング
２６１  リフトパイプ
２６１１  ピンアイ
２７１  サスペンションリング
２７２  シートリング
３１  第二ワイヤーライン
３２１  第二ワイヤーラインリング
３２２  第二ベアリングスリーブ
３２３  第二ベアリング
３２４  第二ナット
３２５  引き上げ装置ロッド本体
３２６  引き上げ装置用引き上げフック
３２７  引き上げ装置用ガイドカップ
３２８  第二スプリング
３２９  第二心棒
【発明を実施するための形態】
【０００８】
以下、添付する図面を参照して、本発明の実施形態についてさらに説明する。
【０００９】
以下の実施形態は、本発明を例示するために使用されるが、本発明の範囲を限定するものではない。
図１〜図９に示すように、本発明に係るダブルフック・ダブルスピア構造のワイヤーライン送り込みと引き上げ装置は、送り込み装置部、引き上げ装置部及び被引き上げ部を備える。送り込み装置部は、第一ワイヤーライン２１、第一ワイヤーラインリング２２１、第一ベアリング２２２、第一ナット２２３、第一ベアリングスリーブ２２４、スライドハンマー２２５、リミットジョイント２２６、コネクティングロッド２２７を備え、第一ワイヤーライン２１の一端と第一ワイヤーラインリング２２１が接続され固定され、第一ベアリング２２２が第一ベアリングスリーブ２２４に取り付けられ固定され、第一ワイヤーラインリング２２１が第一ベアリングスリーブ２２４に挿入され、かつ、第一ワイヤーラインリング２２１の下半分が第一ベアリング２２２を通過しその内壁に固定され、第一ナット２２３が第一ワイヤーラインリング２２１の底部に螺装され、スライドハンマー２２５の上端がベアリングスリーブの底部に固定設置され、スライドハンマー２２５に内部空洞が設けられ、スライドハンマー２２５の側壁に複数セットの貫通穴が設けられ、コネクティングロッド２２７の上端が内部空洞に挿入され、リミットジョイント２２６が内部空洞の下半分に取り付けられ、送り込み装置部が分離制御リング２２８、２セットの送り込み装置用引き上げフック２２９、第一スプリング２２９１、第一心棒２２９２及び送り込み装置用ガイドカップ２２１０も備え、分離制御リング２２８がコネクティングロッド２２７の下端に取り付けられ、２セットの送り込み装置用引き上げフック２２９の中央部が第一心棒２２９２を介して回転可能に接続され、第一スプリング２２９１の左端と右端がそれぞれ２セットの送り込み装置用引き上げフック２２９の上半分に接続され、２セットの送り込み装置用引き上げフック２２９の下半分が送り込み装置用ガイドカップ２２１０内にある。
【００１０】
引き上げ装置部は、第二ワイヤーライン３１、第二ワイヤーラインリング３２１、第二ベアリングスリーブ３２２、第二ベアリング３２３、第二ナット３２４、引き上げ装置ロッド本体３２５、２セットの引き上げ装置用引き上げフック３２６、第二スプリング３２８、第二心棒３２９及び引き上げ装置用ガイドカップ３２７を備え、第二ワイヤーライン３１の一端と第二ワイヤーラインリング３２１が接続され固定され、第二ベアリング３２３が第二ベアリングスリーブ３２２に取り付けられ固定され、第二ワイヤーラインリング３２１が第二ベアリングスリーブ３２２に挿入され、かつ、第二ワイヤーラインリング３２１の下半分が第二ベアリング３２３を通過しその内壁に固定され、第二ナット３２４が第二ワイヤーラインリング３２１の底部に螺装され、引き上げ装置ロッド本体３２５の上端と第二ベアリングスリーブ３２２の下端が接続され、２セットの引き上げ装置用引き上げフック３２６の中央部が第二心棒３２９を介して回転可能に接続され、第二スプリング３２８の左端と右端がそれぞれ２セットの引き上げ装置用引き上げフック３２６の上半分に接続され、引き上げ装置用ガイドカップ３２７が２セットの引き上げ装置用引き上げフック３２６の下にある。
【００１１】
被引き上げ部は、第一引き上げスピア２３１、コアリング装置用引き上げフック２３２、第三スプリング２３２１、第三心棒２３２２、第二引き上げスピア２４１、リリースリングパイプコネクタ２３３及びリリースリングパイプ２３４を備え、第一引き上げスピア２３１の上端が送り込み装置用ガイドカップ２２１０又は引き上げ装置用ガイドカップ３２７に挿入され、かつ、送り込み装置用引き上げフック２２９又は引き上げ装置用引き上げフック３２６の間にあり、コアリング装置用引き上げフック２３２中央部が第三心棒２３２２を介して回転可能に接続され、第三スプリング２３２１の左端と右端がそれぞれコアリング装置用引き上げフック２３２の上半分に接続され、リリースリングパイプコネクタ２３３がリリースリングパイプ２３４の上部に取り付けられ、第二引き上げスピア２４１がリリースリングパイプ２３４内にあり、かつ、第二引き上げスピア２４１の上端がコアリング装置用引き上げフック２３２の間にあり、リリースリングパイプ２３４の内壁に第一ロングスライド溝２３４１、ロングスライド溝の斜め断面２３４２及びリリースリングパイプピンアイ２３４３が設けられ、弾性ピン２３５、ベースフレームカップリング２４２、サポートクリップパイプ２４３、アダプターカップリング２５１、カップリング２５２、リフトパイプ２６１、サスペンションリング２７１、シートリング２７２も備え、サポートクリップパイプ２４３にロングスライド穴２４３１が設けられ、弾性ピン２３５がリリースリングパイプ２３４の下端にあるリリースリングパイプピンアイ２３４３に取り付けられ固定され、リフトパイプ２６１にピンアイ２６１１が設けられ、弾性ピン２３５がリフトパイプ２６１のピンアイ２６１１を通過しサポートクリップパイプ２４３のロングスライド穴２４３１内に伸び、リフトパイプ２６１がサポートクリップパイプ２４３に挿入され、サポートクリップパイプ２４３とベースフレームカップリング２４２がリリースリングパイプ２３４に挿入され、ベースフレームカップリング２４２とサポートクリップパイプ２４３が接触し固定され、第二引き上げスピア２４１の下端とベースフレームカップリング２４２が接触し固定され、サスペンションリング２７１がサポートクリップパイプ２４３の底部に取り付けられ、かつ、サスペンションリング２７１がアウターパイプのシートリング２７２に掛けられ、カップリング２５２がベースフレームカップリング２４２の内部空洞に取り付けられ、かつ、リリースリングパイプ２３４の第一ロングスライド溝２３４１から外側に弾性的に伸び、ウェルの底にあるベース留め具に置き、カップリング２５２とアダプターカップリング２５１が接触し、往復コアリングを行いリリースリングオーバーシュートを引き上げ、リリースリングパイプ２３４が、ロングスライド溝の斜め断面２３４２がカップリング２５２と接触するまで持ち上げられ、カップリング２５２が閉じ、アダプターカップリングと接触しなくなる。
【００１２】
本発明に係るダブルフック・ダブルスピア構造のワイヤーライン送り込みと引き上げ装置は、使用時に送り込み装置又は引き上げ装置の引き上げフックとコアリング装置の第一及び第二引き上げスピアとの異なる接続・分離方法により、コアリング装置の送り込み機構と引き上げ機構の順次動作を行う。
【００１３】
装置全体をウェルの底に置き、コアリング装置の第一引き上げスピア内に第二引き上げスピアが套設され、送り込み装置でコアリング装置を穴の底に送る。コアリング装置の下の重量は、ベースフレームカップリングから、第二引き上げスピア、第二引き上げフック、第一引き上げスピア、送り込み装置部、ワイヤーラインに順に伝達される。
【００１４】
装置全体をウェルの底にあるベース留め具に置き、コアリング装置を穴の底に送り、コアリング装置用送り込み装置の伸縮スライドハンマーが下がり収縮しリリースリングオーバーシュートリングを打つことにより、送り込み装置用引き上げフックとコアリング装置の第一引き上げスピアとの分離を行い、さらに、送り込み装置とコアリング装置との分離を行い、ワイヤーラインで送り込み装置を坑口まで回収してから、ドリルパイプを取り付け往復コアリングを行う。
【００１５】
往復コアリングを行ってから、引き上げ装置を入れ、引き上げ装置用ガイドカップによる案内で、引き上げ装置用引き上げフックとコアリング装置の第一引き上げスピアが接続されると同時に、引き上げ装置用ガイドカップがコアリング装置用引き上げフックを圧迫し、コアリング装置用引き上げフックをコアリング装置の第二引き上げスピアから外す。ワイヤーラインを持ち上げることにより、引き上げ装置がコアリング装置の第一引き上げスピアを持ち上げると同時に、リリースリングパイプを上に移動する。
【００１６】
上記は本発明の好ましい実施形態にすぎず、当業者にとって、本発明の技術的原理から逸脱することなく、いくつかの改良及び変更を行うことができ、これらの改良及び変更も本発明の保護範囲内に入れるものとする。
【図１】
0006952171.tif 000002
【図２】
0006952171.tif 000003
【図３】
0006952171.tif 000004
【図４】
0006952171.tif 000005
【図５】
0006952171.tif 000006
【図６】
0006952171.tif 000007
【図７】
0006952171.tif 000008
【図８】
0006952171.tif 000009
【図９】
0006952171.tif 000010